(57)【特許請求の範囲】
【請求項１】
ルシフェリンまたはルシフェリン誘導体を有効成分とする蛍光／発光体、あるいは該蛍光／発光体が収納または塗布されている蛍光／発光体から蛍光および発光を得る方法であって、以下の工程を含む方法。
（１）蛍光／発光体に光を照射することにより蛍光を得る工程。
（２）蛍光／発光体を、ルシフェラーゼ、ＡＴＰおよび金属イオンと接触させることにより発光を得る工程。
【請求項２】
請求項１記載の方法を実施するための蛍光／発光装置であって、ルシフェリンまたはルシフェリン誘導体を有効成分とする蛍光／発光体、あるいは該蛍光／発光体が収納または塗布されている蛍光／発光部と、光照射部とを備えた蛍光／発光装置。
【発明の詳細な説明】
【０００１】
【発明の属する技術分野】
本発明は、蛍光性および発光性を有する蛍光／発光体に関する。また本発明は、上記の蛍光／発光体を使用した器具・装置に関する。さらに本発明は、上記の蛍光／発光体または蛍光／発光器具・装置から蛍光および発光を得る方法に関する。本発明はあらゆる工業・産業分野やサービスの現場において有用である。本発明の蛍光／発光体・器具・装置は、例えば、イルミネーション、照明器具・装置、表示器具・装置、室内・屋外装飾品、日用生活品、文房具、遊具・玩具、化粧品、装身具、広告宣伝物、道路柵・標識・支柱等の交通標識、顔料・塗料製品、建築物の内外装等に応用可能である。
【０００２】
また、本発明の方法は、例えば、屋内外での照明方法、広告宣伝方法、イベント等における演出方法・デモンストレーション方法として使用可能である。
【０００３】
【従来の技術】
特定の物質に光（可視光線、紫外線、赤外線等）を照射すると、その物質は光を吸収して電子的励起状態となり、再び光を放出する。この時放出される光は蛍光と呼ばれ、また蛍光を発する性質（蛍光性）を有する物質・組成物は蛍光体と呼ばれている。既に多くの無機化合物・有機化合物（例えば、フルオレセイン、エオシン、エスクリン、シアン化白金、アルカリ土類金属の硫化物等）が蛍光体として知られている。現在蛍光体は、あらゆる工業・産業分野において広く使用されている。その用途は多岐に渡り、染料、顔料、ペンキ、放電管、Ｘ線増感紙、生化学試薬等の素材として広く使用され、さらには、種々の物品・製品の視識性・意匠性を高めることを目的として、イルミネーション、交通標識、化粧品、衣料品、玩具等にも使用されている。
【０００４】
蛍光以外の原理により光を発する現象（以下単に「発光」という）も知られている。発光としては、物質の化学反応による発光（化学発光）や、発光性生物（発光細菌、ウミホタル、ホタル等）の発光器官で見られる発光（生物発光）等がある。発光性を有する物質・組成物（発光体）としては、既に多くの無機化合物・有機化合物が公知であり、蛍光体と同様、あらゆる工業・産業分野において広く使用されている。
化学発光における発光体（以下「化学発光基質」ともいう）としては、アントラセン等が知られている。
【０００５】
生物発光における発光体（以下「生物発光基質」ともいう）としては、ルシフェリンが著名である。ルシフェリンは、酵素であるルシフェラーゼとの反応によって発光する有機化合物の総称である。発光生物の一種であるホタルの系では、アデノシン５'-三リン酸（ＡＴＰ）、およびマグネシウムイオン等の金属イオンの存在下、ルシフェリンとルシフェラーゼとの反応により光が生じる。ルシフェリンは、ルシフェラーゼとともに、臨床診断用・清浄度検査用・生化学試験用試薬として、医療・食品衛生・学術研究の現場等において使用されている。
蛍光体あるいは発光体を取り扱う工業・産業分野においては、より優れた蛍光体あるいは発光体の開発が行われている。しかしながら、これまで、蛍光性および発光性をともに有する物質・組成物（以下「蛍光／発光体」という）に注目し、
それを各種物品・工業製品等に応用した例はなかった。
【０００６】
【発明が解決しようとする課題】
本発明の課題は、蛍光／発光体、および該蛍光／発光体を使用した蛍光／発光器具・装置を提供することにある。また、本発明の課題は、上記蛍光／発光体・器具・装置から蛍光および発光を得る方法を提供することにある。
【０００７】
【課題を解決するための手段】
本発明者らは、発光体として公知であった化学発光基質や生物発光基質が蛍光／発光体として有用であることを見い出し、その知見に基づいて本発明を完成した。
すなわち本発明は、主として（１）蛍光性および発光性を有する蛍光／発光体、（２）蛍光／発光体が、収納または塗布されていることを特徴とする蛍光／発光器具、（３）蛍光／発光部と、光照射部からなる蛍光／発光装置、（４）上記蛍光／発光体・器具・装置から蛍光および発光を得る方法、に関する。
【０００８】
【発明の実施の形態】
Ｉ．本発明の「蛍光／発光体」について
本発明でいう蛍光／発光体とは、蛍光性および発光性を共に有する物質・組成物のことである。蛍光／発光体に蛍光性および発光性を付与する成分（以下「有効成分」）としては、有機化合物、無有機化合物のいずれであってもよい。また、該有効成分は、種々の波長を有する光（可視光線、紫外線、赤外線等）の照射によって蛍光を生じるものであればよい。
有効成分としては、例えば、化学発光基質であって蛍光性を有するもの、生物発光基質であって蛍光性を有するもの等が挙げられる。さらにはこれらの発光基質の誘導体であって蛍光性および発光性を共に有するものが挙げられる。
化学発光基質としては、例えば、アントラセンおよびその誘導体が、また生物発光基質としては、例えばルシフェリンおよびその誘導体が挙げられる。
有効成分として使用可能なルシフェリンとしては、発光性生物、例えば、発光細菌、ウミホタル、ヒカリキノコバエ、発光性昆虫等を由来とするものが挙げられる。発光性昆虫としては、甲虫類（Coleoptera)に属するもの、例えばホタル科やコメツキムシ科の昆虫、具体的には、ゲンジボタル、ヘイケボタル、アメリカホタル、ロシアホタル、ヒカリコメツキムシ、ツチボタル、鉄道虫等が挙げられる。
ホタル科の昆虫を由来とするルシフェリンは、光、特に紫外線の照射により鮮やかな黄緑色の蛍光を生じる。また、ルシフェリンは、ルシフェラーゼ、ＡＴＰおよび金属イオンと接触させることにより、黄緑色等に発光する。発光の色は、使用するルシフェラーゼの種類によって変えることができる。ルシフェリンは工業的に生産されているので入手が容易である。以上のことから、ルシフェリンは、本発明の蛍光／発光体の有効成分として好適である。
ルシフェリン誘導体とは、上記のルシフェリンの塩あるいは化学修飾されたものを意味する。また、本発明でいうルシフェリン誘導体には、化学変化等を受けることにより蛍光性および発光性を発現することが可能となるような化合物も含まれる。
なお、蛍光／発光体に含有される有効成分は、１種類であってもよく、または2種類以上であってもよい。また、蛍光／発光体は、上記の有効成分のみからなるものであってもよく、その他の成分、例えば、賦形剤、分散剤、乳化剤、保存剤、防腐剤、ｐＨ調製剤、吸湿剤、界面活性剤、色素、染料、塗料、増粘剤、接着剤等を含有するものであってもよい。他の成分の種類や、有効成分との混合比等は特に限定されず、蛍光／発光体の用途・操作性等に応じて適宜設定すれば良い。
蛍光／発光体の形状は特に限定されず、固体状（例えば、顆粒状、粉末状、錠剤状、ブロック状等）、液体状あるいは霧状のいずれであってもよい。また、蛍光／発光体は適当な担体に固定されたものであっても良い。担体としては、合成高分子、シリカゲル、ガラス、プラスチック、金属等を素材とする任意の形状（ビーズ状、板状、多孔状等）の担体が使用可能である。
II.「蛍光／発光器具」について
蛍光／発光器具は、前記の蛍光／発光体が、収納または塗布されていることを特徴とする器具である。該器具の形状、大きさ、蛍光／発光体の収納・塗布方法等は、特に限定されず、その用途・操作性等に応じて適宜設定すれば良い。該器具は、これに収納または塗布された蛍光／発光体が蛍光を生じているときはその蛍光が視覚されるように構成されており、かつ、該蛍光／発光体が発光しているときはその発光が視覚されるように構成されていることが好ましい。
蛍光／発光体が収納または塗布されるべき基材の形状、素材は任意である。基材の形状としては、動物型、カップ型、グラス型、カプセル型、チューブ型、筒型、板状、直方体、円錐型等が採用できる。また、素材としては、合成高分子、シリカゲル、ガラス、プラスチック、金属、木材、鉱石等が採用できる。
蛍光／発光体が接着剤を含有する場合は、該蛍光／発光体を上記基材の表面あるいは内面に塗布すればよい。基材が透明あるいは透光性を有する場合は、蛍光／発光体を基材の内面に塗布することができる。また、蛍光／発光体が接着性のない液体状・固体状である場合は、カップ型、グラス型、カプセル型等の容器の底部に蛍光／発光体を収納すればよい。
蛍光／発光体が収納または塗布されるべき基材は、市販の物品であってもよく、あらゆる工業製品が基材として採用可能である。
【０００９】
以下に、本発明の蛍光／発光器具について例示する。
【００１０】
（a）市販の蛍光灯・紫外灯を基材とし、その表面や内面に蛍光／発光体を塗布したもの。屋内外用の照明器具として使用可能。
【００１１】
（b）市販の玩具（積み木、パズル、人形、乗り物模型等）の表面あるいは内部に、蛍光／発光体を収納または塗布したもの。蛍光および発光を楽しむ玩具として使用可能。
（c）下敷き、定規、ペン、ペン立て等の文房具の表面に蛍光／発光体を塗布したもの。
（d）ガラス製、プラスチック製等の容器（グラス型、カップ型等）の表面や底部に、蛍光／発光体を収納または塗布したもの。蛍光／発光体が液体状である場合、容器に注がれた蛍光／発光体から得られる蛍光および発光は特に幻想的であり、照明用、室内装飾品用、広告宣伝、イベント等における演出方法・デモンストレーション用として好適である。
III．蛍光／発光体および蛍光／発光器具の用途
本発明の蛍光／発光体・器具は、あらゆる工業・産業分野やサービスの現場において使用可能である。該蛍光／発光体は、各種物品・工業製品、例えばイルミネーション、照明器具・装置、表示器具・装置、室内・屋外装飾品、日用生活品、文房具、遊具・玩具、化粧品、装身具、広告宣伝物、道路柵・標識・支柱等の交通標識、顔料・塗料製品、建築物の内外装等に応用可能である。蛍光／発光体は、そのままでイルミネーション、照明器具、表示器具、遊具・玩具、化粧品、装身具等として使用できる。また、蛍光／発光体を上記の物品・工業製品に混合、塗布、収納させることにより、該物品・工業製品の視識性・意匠性を高めることができる。また、蛍光／発光器具は、上記物品・工業製品として使用可能である。
蛍光/発光体・器具から得られる蛍光および発光は、それらを見た者に対して強い印象を与える。このため、本発明の蛍光/発光体・器具は、各種サービスの現場、例えば屋内外での照明、広告宣伝、イベント等における演出・デモンストレーションを行なう際に使用可能である。
IV.蛍光／発光体・器具から蛍光および発光を得る方法
（１）蛍光／発光体・器具から蛍光および発光を得る方法は、（a）蛍光／発光体に光を照射することにより蛍光を得る工程、および（b）蛍光／発光体から発光を得る工程、を含む。
蛍光を得る工程と発光を得る工程との順序は特に限定されない。すなわち、どちらの工程を先に実施してもよく、両工程を同時に実施してもよい。蛍光／発光体から蛍光および発光を得る場合、操作の簡便化、蛍光および発光の視識性の向上のため、固体状または液体状の蛍光/発光体を適当な容器（例えば、皿状、カップ状等の容器）に入れた後、各工程を実施することが好ましい。
【００１２】
蛍光を得る工程は、蛍光／発光体に対し、有効成分が蛍光を生じる波長の光（可視光線、紫外線、赤外線等）を照射することにより実施可能である。光を照射する場合は、市販のランプを使用すればよく、照射する光の波長・その照射時間等は、蛍光/発光体の形状や有効成分の種類に応じて適宜設定すればよい。
発光を得る工程の具体的な方法・条件も、蛍光/発光体の形状や有効成分の種類に応じて適宜設定すればよい。蛍光／発光体が、他の化合物との化学反応により発光するもの、あるいは生物発光反応により発光するものである場合は、発光を得るために必要な他の成分と蛍光／発光体とを接触させればよい。接触させる方法はいかなる方法でも良く、例えば溶液状態で接触させても良いし、霧状での接触でも良い。また、蛍光／発光体が適当な基材に塗布されている場合は、他の成分を粉末状あるいは液体状とし、蛍光／発光体上に散布すればよい。
上記の方法により、鮮やかな蛍光および発光が得られる。従って、この方法は、特にサービスの現場、例えば屋内外の照明方法、広告宣伝、イベント等における演出方法・デモンストレーション方法として有用である。
【００１３】
（２）蛍光／発光体がルシフェリンまたはその誘導体を有効成分とするものである場合、蛍光／発光体・器具から蛍光および発光を得る方法は、（a）蛍光／発光体に光を照射することにより蛍光を得る工程、および（b）蛍光／発光体を、ルシフェラーゼ、ＡＴＰおよび金属イオンと接触させることにより発光を得る工程、を含む。
【００１４】
なお、蛍光を得る工程と発光を得る工程との順序は特に限定されない。
蛍光を得る工程は、蛍光／発光体に対し、ルシフェリンまたはその誘導体が蛍光を生じる波長の光、好ましくは紫外線を照射することにより実施可能である。蛍光／発光体に紫外線を照射する場合は、市販の紫外線照射ランプ、例えば、「ブラックランプ」（１００W、旭光電機工業株式会社）を使用すればよい。例えば、ホタルルシフェリンに紫外線を照射すると、鮮やかな黄緑色の蛍光が得られる。また、適当な色素を共存させることにより、黄緑色以外の蛍光を得ることも可能である。
発光を得る工程において、蛍光／発光体と、ルシフェラーゼ、ＡＴＰおよび金属イオンとを接触させる方法は特に限定されない。発光反応がおこらない状態であれば、ルシフェラーゼ、ＡＴＰまたは金属イオンの1種以上と、ルシフェリンとが共存していてもよい。なお、金属イオンとしては、２価のもの、好ましくはマグネシウムイオンが使用できる。
発光を得る方法としては、ルシフェリンと、発光に必要な他の成分とを溶液中で接触させる方法が簡便である。この場合、他の成分との接触を容易にするため、ルシフェリンは可溶性の固体状、または水溶液状であることが好ましい。蛍光／発光体が適当な基材・担体に塗布されている場合は、ルシフェラーゼ、ＡＴＰおよび金属イオンを溶解した水溶液を、蛍光／発光体上に散布すればよい。
また、ルシフェラーゼを適宜選択することにより、異なる色の発光を得ることができる。たとえば、野生型ルシフェラーゼ（Masuda,T. et.al.,Gene 77,265-270(1989）)または耐熱性ルシフェラーゼ(Kajiyama,N. et.al.,Biochemistry,32,13794-13799(1993))を使用したときは、黄緑色の発光が得られる。また、発光色変異ルシフェラーゼ（Kajiyama,N. et.al.,Protein Engineering,4,691-693(1991)）を使用したときは赤、オレンジ色等の発光が得られる。
蛍光／発光体から発光を得る方法としては、例えば以下の方法が採用できる。
（a）乾燥状態のルシフェリン、ルシフェラーゼ、ＡＴＰ、金属イオンを混合した後に錠剤とし、水に投入する方法。
（b）ルシフェラーゼの水溶液を、ルシフェリン、ＡＴＰおよび金属イオンを含む水溶液と混合する方法。
（c）以下の組成のA溶液およびB溶液を混合する方法
A溶液：ルシフェラーゼ、ＡＴＰまたは金属イオンから選ばれる０〜２種の成分と、ルシフェリンとを含む水溶液
B溶液：ルシフェラーゼ、ＡＴＰまたは金属イオンのうち、A溶液に含まれていない成分を含む水溶液
Ｖ．蛍光／発光装置、該装置から蛍光および発光を得る方法について
（１）本発明の蛍光／発光装置は、蛍光／発光部と、光照射部とを含むことを特徴とする。蛍光／発光部は、本発明の蛍光／発光体が収納または塗布された部分である。蛍光／発光部としては、前記の蛍光／発光器具を使用してもよい。
光照射部が照射可能な光の波長は、蛍光／発光体の種類により適宜設定すればよい。光照射部としては、市販のランプ、具体的には、例えば、蛍光灯、紫外灯、カラーランプ、可視光線が照射可能なランプ等が使用可能である。
蛍光／発光装置および各部の素材、形状、大きさ等は、特に限定されず、その用途等に応じて適宜設定すれば良い。蛍光／発光部の視識性・意匠性を高めるためには、蛍光／発光部に収納または塗布された蛍光／発光体が蛍光を生じているときはその蛍光が視覚されるように構成されており、かつ、該蛍光／発光体が発光しているときはその発光が視覚されるように構成されていることが好ましい。
【００１５】
該装置の蛍光／発光部から蛍光および発光を得る方法は、（１）光照射部から蛍光／発光部に光を照射して蛍光を得る工程および（２）蛍光／発光部から発光を得る工程、を含む。
蛍光を得る場合は、光照射部から蛍光／発光部に適切な波長の光（可視光線、紫外線、赤外線等）を照射する。また、発光を得る場合は、蛍光/発光部の形状や蛍光／発光体の種類に応じた方法により発光を得る。蛍光／発光体が、他の化合物との化学反応により発光するもの、あるいは生物発光反応により発光するものである場合は、発光を得るために必要な他の成分と蛍光／発光体とを接触させればよい。蛍光／発光体が適当な基材に塗布されている場合は、他の成分を粉末状あるいは液体状とし、蛍光／発光部上に散布すればよい。
（２）蛍光／発光部に収納または塗布された蛍光／発光体の有効成分がルシフェリンまたはその誘導体である場合、光照射部は紫外線が照射可能であることが望ましい。紫外線が照射により蛍光／発光部は黄緑色の蛍光を生じる。また、蛍光／発光部に、ルシフェラーゼ、ＡＴＰおよび金属イオンと接触させることにより発光を得ることができる。
【００１６】
以下に、本発明の蛍光／発光装置について例示する。
（a）内部が観察可能な暗箱の内部に、光照射部として任意の波長の光を照射可能なランプを設置する。同時に、暗箱の内部に蛍光／発光部として、本発明の蛍光／発光器具を設置する。この暗箱が蛍光／発光装置である。
【００１７】
ランプを点灯することにより蛍光／発光部から蛍光が得られ、また、蛍光／発光体を発光させることにより、その発光が観察される。該装置は、イルミネーション、照明装置、表示装置、室内・屋外装飾品、玩具等として使用可能。
【００１８】
（b）蛍光／発光体からの蛍光および発光が観察可能な部屋の内部に、光照射部として任意の波長の光を照射可能なランプを設置する。同時に、光照射部からの光の照射が可能な位置に、蛍光／発光部として、本発明の蛍光／発光器具を設置する。部屋の壁面に蛍光／発光体を塗布し、壁面を蛍光／発光部としてもよい。この場合、部屋全体が蛍光／発光装置である。部屋に代えて、ホール、廊下、階段、さらには任意の建築物・施設を使用し、これらを本発明の蛍光／発光装置としてもよい。
【００１９】
ランプを点灯することにより蛍光／発光部から蛍光が得られ、また、蛍光／発光体を発光させることにより、その発光が観察される。該装置は、広告宣伝、イベント用の会場等における演出・デモンストレーションを行なう際に使用可能である。
ＶI．蛍光／発光装置の用途
蛍光／発光体、蛍光／発光器具と同様、蛍光／発光装置は、あらゆる工業・産業分野やサービスの現場において使用可能である。該装置は、特に、イルミネーション、照明装置、表示装置、室内・屋外装飾品、日用生活品、広告用装置、遊具・玩具、交通標識等として好適に使用できる。また、蛍光／発光装置は、各種サービスの現場、例えば屋内外での照明、広告宣伝、イベント等における演出・デモンストレーションを行なう際に使用可能である。
【実施例】
以下、実施例で本発明を説明する。
[実施例１]蛍光/発光体の探索
１．被検物質：下記の被検物質は、公知の発光体である
（１）ホタルルシフェリン粉末（Ｓｉｇｍａ社製）
（２）１ｍＭ ホタルルシフェリン水溶液
（３）アントラセン（ナカライテスク社製）
２．試験方法
「ブラックランプ」、（１００W、旭光電機工業株式会社）を用いて上記の被検物質に紫外線を照射した。粉末状の被検物質には紫外線を直接照射した。また、水溶液はガラス製容器に入れ、水面に直接、またはガラス面を通して、紫外線を照射した。
【００２０】
紫外線の照射により、ホタルルシフェリン粉末およびその水溶液は、鮮やかな黄緑色の蛍光を生じた。また、アントラセンをフタル酸ジメチルに溶解させた溶液は、紫外線の照射により鮮やかな青白色の蛍光を生じた。紫外線の照射を５分間行なったが、蛍光の強度に変化は見られなった。ランプを消したところ、被検物質からの蛍光は直ちに消滅した。
[実施例２]蛍光／発光器具から蛍光および発光を得る方法
１．試薬・器具類
（１）蛍光／発光体：はホタルルシフェリン粉末（Sigma社製）3 mg, ATP 40 mg, トリス（ヒドロキシメチル）アミノメタン 10 mg, 硫酸マグネシウム 0.2 g
（２）蛍光／発光器具：上記蛍光／発光体を底部に収納したガラス製のシャンパングラス
（３）発光用溶液：1Lあたり100mgの耐熱性ホタルルシフェラーゼ(Kajiyama,N. et.al.,Biochemistry,32,13794-13799(1993))を含む水溶液
２．蛍光/発光器具から発光を得たのち蛍光を得る方法：
蛍光／発光器具であるシャンパングラスに、50 mlの発光用溶液を注ぎ、蛍光／発光体と発光用溶液とを混合したところ、混合液から黄緑色の鮮やかな発光が得られた。次いで、「ブラックランプ」（１００W、旭光電機工業株式会社）を用いて、シャンパングラスの側面５０cmの距離から紫外線を照射したところ、混合溶液の発光に蛍光が加わり、より鮮やかな黄緑色となった。上記の操作は、全て暗室内で行なった。
なお、50 mlの水に蛍光／発光体を溶解させた水溶液を使用した場合にも、同様の結果が得られた。
３．蛍光/発光体から蛍光を得たのち発光を得る方法：
まず、蛍光／発光体を収納したガラス製のシャンパングラスの側面５０cmの距離から、「ブラックランプ」（１００W、旭光電機工業株式会社）を用いて紫外線を照射したところ、該粉末は黄緑色の鮮やかな蛍光を生じた。
次いで、ブラックランプを点灯したまま、50 mlの発光用溶液をシャンパングラスに入れ、蛍光／発光体と発光用溶液とを混合した。ホタルルシフェリンの蛍光に、発光が加わり、混合液からより鮮やかな黄緑色の光が得られた。上記の操作は、全て暗室内で行なった。
50 mlの水に蛍光／発光体を溶解させた水溶液を使用した場合にも同様の結果が得られた。
[実施例３]
１．試薬・器具類
（１）蛍光／発光体：フタル酸ジメチル 100 ml に、アントラセン 70 mg とシュウ酸ビス2,4,6-トリクロロフェニル 0.4 g を溶解させたもの。
（２）発光用試薬：t-ブタノール 20 ml、フタル酸ジメチル 80 ml、30% 過酸化水素 2 ml、サリチル酸ナトリウム 50 mgを混ぜ合わせたもの。
（３）蛍光／発光器具：蛍光／発光体50 mlを収納したガラス製のカクテルグラス
２．蛍光/発光器具から発光を得たのち蛍光を得る方法：
蛍光／発光器具に、発光用試薬50 mlを注ぎ、蛍光／発光体と発光用試薬を混合したところ、混合液から青白色の鮮やかな発光が得られた。次いで、（ブラックランプ、１００W、旭光電機工業株式会社）を用いて、カクテルグラスの側面５０cmの距離から紫外線（ブラックライト）を照射したところ、混合溶液の発光に蛍光が加わり、より鮮やかな発光となった。上記の操作は、全て暗室内で行なった。
【００２１】
３．蛍光/発光体から蛍光を得たのち発光を得る方法：
まず、蛍光／発光体50 mlを収納したガラス製のカクテルグラスの側面５０cmの距離から、ブラックランプ、１００W、旭光電機工業株式会社）を用いて紫外線（ブラックライト）を照射したところ、該溶液は青白色の鮮やかな蛍光を生じた。
【００２２】
次いで、ブラックランプを点灯したまま、50 mlの発光用試薬とを混合したところ、蛍光に発光が加わり、混合液からより鮮やかな光が得られた。上記の操作は、全て暗室内で行なった。
４．アントラセン誘導体を用いる方法
上記、蛍光／発光体成分のアントラセンの代わりにアントラセン誘導体である、9,10-ジフェニルアントラセン、テトラセン、9,10-ビス（フェニルエチニル）アントラセン、5,12-ビス（フェニルエチル）ナフタセンを用い、同様の操作を行ったところ、いずれも鮮やかな蛍光、発光を呈し、これら誘導体の蛍光／発光体としての有効性が確認された。
[実施例４]
１．蛍光／発光体：
ホタルルシフェリンを有効成分として含有する錠剤。該錠剤は、ルシフェリン１．０ｇ、実施例2で使用した耐熱性ルシフェラーゼ２．０ｇ、ＡＴＰ ５．０ｇ、トリス（ヒドロキシメチル）アミノメタン ２．５ｇ、シュークロース４．０ｇ、硫酸マグネシウム０．５ｇを混合した後、打錠機を用いて圧縮成形することにより調製した。
２．蛍光／発光体から蛍光および発光を得る方法：
「ブラックランプ」（１００W、旭光電機工業株式会社）を用いて、蛍光／発光体に紫外線を照射したところ、鮮やかな黄緑色の蛍光が得られた。次いで、蛍光／発光体を、水中で崩壊させたところ、溶液から黄緑色の発光が得られた。
発光中の溶液に紫外線を照射したところ、ルシフェリンの発光に蛍光が加わり、溶液からさらに鮮やかな黄緑色の光が得られた。
なお、上記の操作は、全て暗室内で行なった。
[実施例５]蛍光／発光器具から異なる色の蛍光および発光を得る方法
１．試薬・器具類
（１）蛍光／発光体：ホタルルシフェリン粉末（Sigma社製）3 mg, ATP 40 mg, トリス（ヒドロキシメチル）アミノメタン 10 mg, 硫酸マグネシウム 0.2 g
（２）蛍光／発光器具：上記蛍光／発光体を底部に収納したガラス製のシャンパングラス
（３）発光用溶液：1Lあたり100mgの赤色発光色変異ホタルルシフェラーゼ（Kajiyama,N. et.al.,Protein Engineering,4,691-693(1991)）を含む水溶液
２．蛍光/発光器具から発光および蛍光を得る方法：
蛍光／発光器具に、50 mlの 発光用溶液を注ぎ、蛍光／発光体と発光用溶液とを混合したところ、混合液から赤色の鮮やかな発光が得られた。次いで、「ブラックランプ」（１００W、旭光電機工業株式会社）を用いて、シャンパングラスの側面５０cmの距離から紫外線を照射したところ、混合液から鮮やかな黄緑色の蛍光が得られた。
この方法では、赤色から黄緑色への色の変化を楽しむことができた。上記の操作は、全て暗室内で行なった。
なお、50 mlの水に蛍光／発光体を溶解させた水溶液を使用した場合にも、同様の結果が得られた。
[実施例６]発光装置の作成
１．試薬・器具類
（１）蛍光／発光体：「ホタライト１０００赤色発光」（キッコーマン社製）のB粉末を500 mlの水に溶解し、液体状の蛍光／発光体とした。B粉末には、有効成分としてルシフェリンが含まれている。なお、「ホタライト１０００赤色発光」は生物発光を利用した発光体として市販されている製品である。
（２）発光用溶液：ホタライト１０００赤色発光（キッコーマン社製）のA粉末を500 mlの水に溶解した水溶液。A粉末には、ルシフェリンの発光に必要な他の成分、主としてホタルルシフェラーゼが含まれている。
（３）蛍光／発光器具：シャンパングラスをピラミッド状に３段に重ね（１段目：９個、２段目：４個、最上段：１個）、各グラスに（１）の蛍光／発光体を３０ｍｌずつ注いだ。これを蛍光／発光器具とした。
（４）蛍光／発光装置：
（３）の蛍光／発光器具を暗室の床に設置し、これを蛍光／発光部とした。また、暗室の天井に「ブラックランプ」（１００W、旭光電機工業株式会社）を設置し、これを光照射部とした。
２．蛍光/発光器具から発光および蛍光を得る方法：
蛍光／発光器具の最上段のグラスに、発光用溶液をゆっくりと注ぎ入れた。蛍光／発光体と発光用溶液とが接触した瞬間、最上段のグラスの中に鮮やかな赤色の発光が起こった。発光用溶液を注ぎ続けると、その光は２段目、３段目のグラスへと流れ落ち、全部のグラス中の溶液が発光した。発光用溶液を全て注ぎ終わったところで、「ブラックランプ」（１００W、旭光電機工業株式会社）を点灯し、紫外線を照射したところ、蛍光／発光器具から生じる光の色は、赤色から黄緑色に変化した。
なお、「ブラックランプ」の代わりに、青色光が照射可能なカラーレフランプを作製し、これを光照射部として用いたところ、同様の結果が得られた。
【００２３】
【発明の効果】
本発明により、蛍光性および発光性を有する蛍光／発光体、該蛍光／発光体を使用した器具・装置、さらに該蛍光／発光体・器具・装置から蛍光および発光を得る方法が提供された。本発明はあらゆる工業・産業分野やサービスの現場において有用である。本発明の蛍光／発光体・器具・装置は、例えば、イルミネーション、照明器具・装置、表示器具・装置、室内・屋外装飾品、日用生活品、文房具、遊具・玩具、化粧品、装身具、広告、道路柵・標識・支柱等の交通標識、顔料・塗料製品、建築物の内外装等に応用可能である。
また、本発明の方法は、特に、屋内外での照明方法、広告宣伝方法、イベント等における演出方法・デモンストレーション方法として好適である。